(57)【要約】【課題】  本発明は、操作性の優れ、低コスト化を図れるインターネットファクシミリ装置を提供することを目的とする。【解決手段】  本発明のインターネットファクシミリ装置は、ネットワークに接続してメールの送受信を行うネットワーク機能と、公衆電話回線網を介し原稿の送受信を行うファクシミリ機能とを有している。そして、本発明のインターネットファクシミリ装置は、ネットワーク又は公衆電話回線網が接続されているか否かにかかわらず、ネットワーク機能又はファクシミリ機能による受信開始を手動で指示する手動受信開始指示手段を有することに特徴がある。【選択図】        図２
2005217600.tif 000002
【特許請求の範囲】
【請求項１】
ネットワークに接続してメールの送受信を行うネットワーク機能と、公衆電話回線網を介し原稿の送受信を行うファクシミリ機能とを有するインターネットファクシミリ装置において、
ネットワーク又は公衆電話回線網が接続されているか否かにかかわらず、前記ネットワーク機能又は前記ファクシミリ機能による受信開始を手動で指示する手動受信開始指示手段を有することを特徴とするインターネットファクシミリ装置。
【請求項２】
前記手動受信開始指示手段による手動受信の指示を受けた際、装置に接続された電話機の受話器が上げられている状態か、あるいはオンフックキーによりオンフック状態であれば公衆電話回線網を使用した前記ファクシミリ機能による受信動作を行い、装置に接続された電話機の受話器が上げられていない状態か、あるいはオンフックキーによりオンフック状態でなければネットワーク機能による受信動作を行うことを判断する判断手段を有する請求項１記載のインターネットファクシミリ装置。
【請求項３】
前記手動受信開始指示手段による手動受信の指示を受けた際、ネットワーク受信動作を開始し、装置に接続された電話機の受話器が上げられている状態か、あるいはオンフックキーによりオンフック状態であれば公衆電話回線網を使用した前記ファクシミリ機能による受信動作を行うことを判断する判断手段を有する請求項１記載のインターネットファクシミリ装置。
【請求項４】
前記手動受信開始指示手段による手動受信の指示を受けた際、装置に接続された電話機の受話器が上げられている状態か、オンフックキーによりオンフック状態の場合、前記ネットワーク機能又は前記ファクシミリ機能のいずれかを選択させる選択手段を有する請求項１記載のインターネットファクシミリ装置。
【請求項５】
予め手動受信指示でネットワークからの手動受信を行うか否かを設定可能な設定手段を有する請求項１〜３のいずれかに記載のインターネットファクシミリ装置。
【発明の詳細な説明】
【技術分野】
【０００１】
本発明はインターネットファクシミリ装置に関し、詳細には公衆電話回線網を使用したファクシミリ機能又はネットワークを使用したネットワーク機能を自動的に判断する技術に関する。
【背景技術】
【０００２】
近年、ネットワークを介してファクシミリ通信を行う機能を搭載したファクシミリ装置やメール受信を可能な複合機が存在する。従来は、受信機能とは電話回線を使用したファクシミリ受信に限定されてきたが、複数の手段の受信機能が搭載されるようになった。その際、受信手段ごとに手動受信の指示手段を設け、ユーザは手動受信の指示を行う必要があったが、送信や受信の度に指示手段による入力はユーザにとっては非常に面倒であった。そこで、このような面倒さを解消するために、従来よりいくつか提案されている。その一つとして、特許文献１には、送信又は受信の選択キーを押さなくても自動的に送信や受信を判断できるようにして、送受信前のキー操作を減らすことができるインターネットファクシミリ装置が記載されている。この特許文献１のインターネットファクシミリ装置は、スキャナに原稿がセットされ、かつ宛先が入力されたことから送信と判断し、かつスキャナに原稿が未セットで宛先が未入力であることから受信と判断するものである。
【特許文献１】特開２００３−１８９０４９号公報
【発明の開示】
【発明が解決しようとする課題】
【０００３】
しかしながら、上記特許文献１のインターネットファクシミリ装置では、送信又は受信にかかわらず、電話回線を使用したファクシミリ送信／受信を行うのか、それともネットワークを使用したネットワーク送信／受信を行うのかを常に選択させなければならず煩雑であり、またその指示手段を設けるとユーザとしても混乱する場合が多い。また、指示手段を分けると物理的にキーを配置する必要があり、コストアップにもつながるという問題点があった。
【０００４】
本発明はこれらの問題点を解決するためのものであり、操作性の優れ、低コスト化を図れるインターネットファクシミリ装置を提供することを目的とする。
【課題を解決するための手段】
【０００５】
前記問題点を解決するために、本発明のインターネットファクシミリ装置は、ネットワークに接続してメールの送受信を行うネットワーク機能と、公衆電話回線網を介し原稿の送受信を行うファクシミリ機能とを有している。そして、本発明のインターネットファクシミリ装置は、ネットワーク又は公衆電話回線網が接続されているか否かにかかわらず、ネットワーク機能又はファクシミリ機能による受信開始を手動で指示する手動受信開始指示手段を有することに特徴がある。よって、ユーザはいずれの受信機能であるかを意識することなく手動受信の指示を行うことができ、受信機能毎に手動指示がなくユーザは混乱することなくなり、操作性を向上できると共に、不要な操作ボタンが不要となり低コスト化も図れる。
【０００６】
また、本発明のインターネットファクシミリ装置は、手動受信開始指示手段による手動受信の指示を受けた際、装置に接続された電話機の受話器が上げられている状態か、あるいはオンフックキーによりオンフック状態であれば公衆電話回線網を使用したファクシミリ機能による受信動作を行い、装置に接続された電話機の受話器が上げられていない状態か、あるいはオンフックキーによりオンフック状態でなければネットワーク機能による受信動作を行うことを判断する判断手段を有する。よって、ユーザはいずれの受信機能であるかを意識することなく装置としての受信動作が可能となる。
【０００７】
更に、本発明のインターネットファクシミリ装置は、手動受信開始指示手段による手動受信の指示を受けた際、ネットワーク受信動作を開始し、装置に接続された電話機の受話器が上げられている状態か、あるいはオンフックキーによりオンフック状態であれば公衆電話回線網を使用したファクシミリ機能による受信動作を行うことを判断する判断手段を有する。よって、ユーザはいずれの受信機能であるかを意識することなく装置としての受信動作が可能となる。
【０００８】
また、本発明のインターネットファクシミリ装置は、手動受信開始指示手段による手動受信の指示を受けた際、装置に接続された電話機の受話器が上げられている状態か、オンフックキーによりオンフック状態の場合、ネットワーク機能又はファクシミリ機能のいずれかを選択させる選択手段を有する。よって、ユーザが希望するネットワーク機能又はファクシミリ機能のいずれかで手動受信が可能となり、汎用性に優れたインターネットファクシミリ装置を提供できる。
【０００９】
更に、本発明のインターネットファクシミリ装置は、予め手動受信指示でネットワークからの手動受信を行うか否かを設定可能な設定手段を有することにより、予めユーザが希望するネットワーク機能又はファクシミリ機能のいずれかで手動受信が設定可能で、汎用性に優れたインターネットファクシミリ装置を提供できる。
【発明の効果】
【００１０】
本発明のインターネットファクシミリ装置によれば、操作性に優れ、低コスト化が図れる。
【発明を実施するための最良の形態】
【００１１】
図１は本発明の一実施の形態に係るインターネットファクシミリ装置の構成を示すブロック図である。同図において、本実施の形態例のインターネットファクシミリ装置１０は、原稿画像を読み取って画情報を取得するスキャナ１１と、画像を記録紙に記録するプロッタ１２と、ＭＨ方式などの既知の符号化方式により、送信する画情報を符号化によりデータ圧縮を行う一方、受信した画情報を復号化して元の画情報を再生する符号化復号化部１３と、公衆電話回線網と電話機１５との接続を確立し、発着信を行うための回線制御を行う網制御部（以下ＮＣＵと略す）１４と、画情報を変復調して伝送すると共に、伝送制御のための各種手順信号を伝送するモデム１６と、装置の動作状態や選択指示を表示する一方、オペレータが各種操作を行い、設定や手動受信指示や選択を行う操作表示部１７と、上記各部を制御するマイクロコンピュータからなるシステム制御部１８と、ＬＡＮなどのネットワークに接続され、メール受信などを行うネットワーク接続部１９とを含んで構成され、各部は相互間で各種制御信号やデータをやり取りする信号ラインであるシステムバス２０を介してそれぞれ接続されている。また、手動受信を指示するボタンは受信手段を問わず操作表示部１７に設けられている。更に、システム制御部１８は、図示していない判断手段を有している。この判断手段は、手動受信の指示を受けた際、装置に接続された電話機１５の受話器が上げられている状態か、あるいはオンフックキーによりオンフック状態であれば公衆電話回線網を使用したファクシミリ機能による受信動作を行い、装置に接続された電話機１５の受話器が上げられていない状態か、あるいはオンフックキーによりオンフック状態でなければネットワーク機能による受信動作を行うことを判断する。また、判断手段は、手動受信の指示を受けた際、ネットワーク受信動作を開始し、装置に接続された電話機１５の受話器が上げられている状態か、あるいはオンフックキーによりオンフック状態であれば公衆電話回線網を使用したファクシミリ機能による受信動作を行うことを判断する。
【００１２】
次に、図１に示すような構成を有する本実施の形態例に係るインターネットファクシミリ装置の動作について当該動作フローを示す図２に従って説明する。
先ず、図１の操作表示部１７にある手動受信開始ボタンが押下され、手動受信開始の指示を受けると（ステップＳ１０１；ＹＥＳ）、電話回線がオンフック状態もしくは電話機１５の受話器がＵＰ状態である場合（ステップＳ１０２；ＹＥＳ）、電話回線を使用してファクシミリ受信を開始する（ステップＳ１０３）。電話回線がオンフック状態もしくは電話機１５の受話器がＵＰ状態でない場合（ステップＳ１０２；ＮＯ）、ユーザが予め設定しておいたネットワーク受信を行うか否かの設定をチェックする（ステップＳ１０４）。ネットワーク受信を行う設定である場合（ステップＳ１０４；ＹＥＳ）、ネットワーク受信を開始する（ステップＳ１０５）。ネットワーク受信を行わない設定である場合（ステップＳ１０４；ＮＯ）、ネットワーク受信は行わないで動作を終了する。以上のような動作を行うことにより、ユーザは受信手段を意識せずに手動受信を行うことができる。
【００１３】
次に、本実施の形態例のインターネットファクシミリ装置における別の動作について当該動作フローを示す図３に従って説明する。
先ず、図１の操作表示部１７にある手動受信開始ボタンが押下され、手動受信開始の指示を受けると（ステップＳ２０１；ＹＥＳ）、ユーザが予め設定しておいたネットワーク受信を行うか否かの設定をチェックする（ステップＳ２０２）。ネットワーク受信を行う設定である場合（ステップＳ２０２；ＹＥＳ）、ネットワーク受信を開始する（ステップＳ２０３）。ネットワーク受信を行わない設定である場合（ステップＳ２０２；ＮＯ）、ネットワーク受信は行わない。そして、電話回線がオンフック状態もしくは電話機１５の受話器がＵＰ状態である場合（ステップＳ２０４；ＹＥＳ）、電話回線を使用してファクシミリ受信を開始する（ステップＳ２０５）。電話回線がオンフック状態もしくは電話機１５の受話器がＵＰ状態でない場合（ステップＳ２０４；ＮＯ）、電話回線を使用しての受信は行わないで動作を終了する。以上のような動作を行うことにより、ユーザは受信手段を意識せずに手動受信を行うことができる。
【００１４】
次に、本実施の形態例のインターネットファクシミリ装置における更に別の動作について当該動作フローを示す図４に従って説明する。
先ず、図１の操作表示部１７にある手動受信開始ボタンが押下され、手動受信開始の指示を受けると（ステップＳ３０１；ＹＥＳ）、ユーザが予め設定しておいたネットワーク受信を行うか否かの設定をチェックする（ステップＳ３０２）。ネットワーク受信する設定である場合（ステップＳ３０２；ＹＥＳ）、更に電話回線の状態をチェックする（ステップＳ３０３）。電話回線がオンフック状態もしくは電話機１５の受話器がＵＰ状態である場合（ステップＳ３０３；ＹＥＳ）、どの受信手段で受信するかの選択させる表示を図１の操作表示部１７に表示する（ステップＳ３０４）。ネットワークでの受信が選択された場合（ステップＳ３０５；ＹＥＳ）、ネットワークを使用してネットワーク受信を開始する（ステップＳ３０６）。更に、電話回線での受信が指示された場合（ステップＳ３０７；ＹＥＳ）、電話回線を使用してファクシミリ受信を開始する（ステップＳ３０８）。一方、ネットワークでの受信が選択されていない場合（ステップＳ３０５；ＮＯ）で電話回線での受信が選択された場合（ステップＳ３０７；ＹＥＳ）、電話回線を使用しての受信を開始する（ステップＳ３０８）。また、ネットワークでの受信を行わない設定になっている場合（ステップＳ３０２；ＮＯ）、電話回線の状態をチェックする（ステップＳ３０９）。電話回線がオンフック状態もしくは電話機１５の受話器がＵＰ状態である場合（ステップＳ３０９；ＹＥＳ）、電話回線を使用してファクシミリ受信を開始する（ステップＳ３１０）。電話回線がオンフック状態もしくは電話機１５の受話器がＵＰ状態でない場合（ステップＳ３０９；ＮＯ）、電話回線を使用しての受信は行わない。更に、ネットワーク受信を行う設定で（ステップＳ３０２；ＹＥＳ）で電話回線がオンフック状態もしくは電話機１５の受話器がＵＰ状態でない場合（ステップＳ３０３；ＮＯ）、ネットワーク受信を開始する（ステップＳ３１１）。以上のように手動受信を指示した際にユーザが受信手段を指示することを可能としている。
【００１５】
なお、本発明は上記実施の形態例に限定されるものではなく、特許請求の範囲内の記載であれば多種の変形や置換可能であることは言うまでもない。
【図面の簡単な説明】
【００１６】
【図１】本発明の一実施の形態に係るインターネットファクシミリ装置の構成を示すブロック図である。
【図２】本実施の形態例に係るインターネットファクシミリ装置の動作を示すフローチャートである。
【図３】本実施の形態例に係るインターネットファクシミリ装置の別の動作を示すフローチャートである。
【図４】本実施の形態例に係るインターネットファクシミリ装置の更に別の動作を示すフローチャートである。
【符号の説明】
【００１７】
１０；インターネットファクシミリ装置、１１；スキャナ、
１２；プロッタ、１３；符号化復号化部、１４；ＮＣＵ、
１５；電話機、１６；モデム、１７；操作表示部、
１８；システム制御部、１９；ＬＡＮ接続部、２０；システムバス。
【図１】
2005217600.tif 000003
【図２】
2005217600.tif 000004
【図３】
2005217600.tif 000005
【図４】
2005217600.tif 000006